(57)【特許請求の範囲】
【請求項１】
アクセントラインが形成された車両用シートであって、
ウレタンパッドの表面を表皮材と前記表皮材に対して柔らかいクッション材と裏生地とを貼り合わせて形成されたシートカバーで覆って形成したシートクッションとシートバックを備え、
前記シートクッション又は前記シートバックの何れか一方の前記シートカバーには前記表皮材と前記クッション材と前記裏生地とで構成された前記シートカバーが３枚重ね縫いされた部分が形成されており、
前記シートカバーが前記３枚重ね縫いされた部分は前記クッション材が押しつぶされて前記シートカバーの１枚の厚さ分と同程度の厚さに形成されており、前記３枚重ね縫いされた部分が前記ウレタンパッドに部分的に埋め込まれることなく前記ウレタンパッドの表面に接着剤で固定されていることにより前記３枚重ね縫いされた部分がアクセントラインを形成している
ことを特徴とするアクセントラインが形成された車両用シート。
【請求項２】
シートクッションとシートバックを備えアクセントラインが形成された車両用シートであって、
前記シートクッションとシートバックとはウレタンパッドの表面を表皮材と前記表皮材に対して柔らかいクッション材と裏生地とを貼り合わせて形成されたシートカバーで覆って形成されており、
前記シートバック又は前記シートクッションの何れか一方の前記シートカバーにはアクセントラインが形成されており、
前記アクセントラインは前記表皮材と前記クッション材と前記裏生地とで構成された前記シートカバーが２枚重ねで縫い合された部分と３枚重ねで縫い合された部分とを有して形成され、前記３枚重ね縫いされた部分は前記クッション材が押しつぶされて前記シートカバーの１枚の厚さ分と同程度の厚さに形成されており、
前記アクセントラインが形成された前記シートカバーと前記ウレタンパッドとが接着剤で固定されている
ことを特徴とするアクセントラインが形成された車両用シート。
【請求項３】
請求項１又は２に記載のアクセントラインが形成された車両用シートであって、前記ウレタンパッドの前記アクセントラインが当たる部分は、平坦に形成されていることを特徴とするアクセントラインが形成された車両用シート。
【請求項４】
請求項２記載のアクセントラインが形成された車両用シートであって、前記シートカバーの前記アクセントラインの部分は、前記ウレタンパッドに埋め込まれることなく、前記ウレタンパッド上に接着されていることを特徴とするアクセントラインが形成された車両用シート。  
【請求項５】
アクセントラインが形成された車両用シートの製造方法であって、
表皮材と前記表皮材に対して柔らかいクッション材と裏生地とを貼り合わせて形成されたシートカバーを２枚前記表皮材を向き合わせて重ね、
前記重ねた前記２枚のシートカバーの端部の付近を縫い合せ、
前記端部付近を縫い合せた前記２枚のシートカバーのうち１枚のシートカバーを前記縫い合せた部分で折り返し、
前記折り返した前記１枚のシートカバーと前記縫い合せた前記２枚のシートカバーとを、前記縫い合せた部分よりもさらに前記端部に近い側で縫い合せることにより前記端部に近い側で縫い合わせた部分において前記クッション材を押しつぶして前記シートカバーの１枚の厚さ分と同程度の厚さにしてアクセントラインを形成し、
車両用シートのウレタンパッドの表面に接着剤を塗布し、
前記表面に接着剤を塗布したウレタンパッドと前記アクセントラインを形成したシートカバーとを加熱しながら押付けて前記シートカバーを前記ウレタンパッドに張り付けることを特徴とするアクセントラインが形成された車両用シートの製造方法。
【請求項６】
請求項５記載のアクセントラインが形成された車両用シートの製造方法であって、前記シートカバーに形成された前記アクセントラインを、前記ウレタンパッドの平坦に形成されている部分に張り付けることを特徴とするアクセントラインが形成された車両用シートの製造方法。
【請求項７】
請求項５記載のアクセントラインが形成された車両用シートの製造方法であって、前記シートカバーに形成された前記アクセントラインの部分を、前記ウレタンパッドに埋め込むことなく、前記ウレタンパッドの表面上に接着することを特徴とするアクセントラインが形成された車両用シートの製造方法。
【発明の詳細な説明】
【技術分野】
【０００１】
本発明は、乗用車や鉄道車両などの車両用シート及びその製造方法に係り、特に、シートカバーにアクセントラインを形成した車両用シート及びその製造方法に関するものである。
【背景技術】
【０００２】
乗用車や鉄道車両などの車両用シートのシートバック、クッションシートを被覆するシートカバーには、シートサイド部の縫着部分に段差を設け、シート外観の質感を向上させている。
【０００３】
このようなシートカバーを形成する方法として、特開２００５−１１０９４６号公報（特許文献１）には、二つの表皮材の表面側を対向するように端末をそろえて重ね合せた後、端末部分を縫合し、一方の表皮材を折り返すことにより形成するシートカバーの構造において、表皮材の一方の端末部の裏面または端末部の裏面に対応する位置に係止部材を取り付け、折り返した表皮材の裏面に対応する位置に係止させる構成が開示されている。
【０００４】
また、特開２０１４−８３２０号公報（特許文献２）には、２枚の表皮材を縫い合わせて、シートバックに形成した溝に埋め込んでシートカバーを形成することが記載されている。
【先行技術文献】
【特許文献】
【０００５】
【特許文献１】特開２００５−１１０９４６号公報
【特許文献２】特開２０１４−８３２０号公報
【発明の概要】
【発明が解決しようとする課題】
【０００６】
乗用車や鉄道車両などの車両用シートのシートバック、クッションシートを被覆するシートカバーには、アクセントラインとして、例えば異なる種類のシートカバー材料を縫合したラインをシートカバー表面に形成して、シート外観の質感を向上させる加工を施している。
【０００７】
このシートカバーのアクセントラインには、シートに腰掛ける人の背中や脚部が当たるために凸状の段差がなく平坦に、または凹状に形成されていることが求められる。
【０００８】
さらに、シートカバーのアクセントラインは、直線状に形成されるとは限らず、優美な曲線上に掲載されることもある。
【０００９】
特許文献１に記載されているシートカバーの形成方法では、２枚の表皮材の縫合部が段差となってシートカバーの表面に現れてしまい、シートに腰掛ける人の背中や脚部が当たるために凸状の段差がなく平坦に、または凹状に形成するという条件を満たすことができない。
【００１０】
一方、特許文献１に記載されているシートカバーの形成方法では、シートに腰掛ける人の背中や脚部が当たるために凸状の段差がなく平坦に、または凹状に形成するという条件を満たすことがはできる。しかし、アクセントラインを曲線状に形成する場合に、シートバックに形成した曲線状の溝に２枚の表皮を縫合した部分を埋め込むのに専用の治具が必要になる。その結果、アクセントラインを曲線形状が異なるごとに埋め込み治具を取り換えなければならず、多種類のアクセントラインを形成する場合に、埋め込み治具の段取り替えに多大な時間を要してしまい、生産の効率を上げるうえでネックになってしまう。
【００１１】
本発明は、上記した従来技術の課題を解決して、多様な形状のアクセントラインにも生産の効率を低下させることなく対応することが可能なシートカバーを備えた車両用シート及びその製造方法を提供するものである。
【課題を解決するための手段】
【００１２】
上記した課題を解決するために、本発明では、アクセントラインが形成された車両用シートにおいて、ウレタンパッドの表面をシートカバーで覆って形成したシートクッションとシートバックを備え、シートクッション又はシートバックの何れか一方のシートカバーには重ね縫いされた部分が形成されており、シートカバーに形成された重ね縫いされた部分がウレタンパッドに部分的に埋め込まれることなくウレタンパッドの表面に接着剤で固定されていることにより重ね縫いされた部分がアクセントラインを形成しているようにした。
また、上記した課題を解決するために、本発明では、シートクッションとシートバックを備えアクセントラインが形成された車両用シートにおいて、シートクッションとシートバックとはウレタンパッドの表面をシートカバーで覆って形成されており、シートバック又はシートクッションの何れか一方の前記シートカバーにはアクセントラインが形成されており、アクセントラインはシートカバーが２枚重ねで縫い合された部分と３枚重ねで縫い合された部分とを有して形成されており、アクセントラインが形成されたシートカバーとウレタンパッドとが接着剤で固定されていることを特徴とする。
更に、上記した課題を解決するために、本発明では、アクセントラインが形成された車両用シートの製造方法において、２枚のシートカバーを表皮材を向き合わせて重ね、重ねた２枚のシートカバーの端部の付近を縫い合せ、端部付近を縫い合せた２枚のシートカバーのうち１枚のシートカバーを縫い合せた部分で折り返し、折り返した１枚のシートカバーと縫い合せた２枚のシートカバーとを、縫い合せた部分よりもさらに端部に近い側で縫い合せることによりアクセントラインを形成し、車両用シートのウレタンパッドの表面に接着剤を塗布し、表面に接着剤を塗布したウレタンパッドとアクセントラインを形成したシートカバーとを加熱して押付けてシートカバーを前記ウレタンパッドに張り付けるようにした。
【発明の効果】
【００１３】
本発明によれば、アクセントラインが形成される部分をシートカバー１枚分の厚さとほぼ同じ厚さで形成することができ、シートカバーのアクセントラインの部分をウレタンパッドに張り付けることでアクセントラインを形成することができるので、アクセントラインが形成された車両用シートを容易に形成できるようになった。
【００１４】
また、多種類のアクセントラインを有する車両用シートを、手間のかかる生産工程の入れ替えを行うことなく、容易に製造できるようになった。
【図面の簡単な説明】
【００１５】
【図１】図１は、アクセントラインが形成された乗用車シートの斜視図である。
【図２】図２は、シートカバーの構成を示す断面図である。
【図３】図３は、本発明の実施例における重ね縫いの工程を示すフロー図と、フローの各工程におけるシートカバーの構成を示す断面図である。
【図４】図４は、ウレタンパッドの斜視図である。
【図５】図５は、本発明の実施例におけるウレタンパッドにシートカバーを張り付ける工程を示すフロー図である。
【図６】図６は、本発明の実施例により形成したシートバックの斜視図である。
【発明を実施するための形態】
【００１６】
本発明は、車両用シートのシートカバーの２枚の表皮の重ね縫いを行った後に一方の表皮を裏返して再度２枚の表皮を重ね縫いするようにしたことにより重ね縫いした箇所の厚みを調整し、重ね縫いした部分とその他の表皮部分との厚さをほぼ同じ厚さに形成するようにした。これにより、シートバック又はシートクッションの内部部材であるウレタンパッドに溝を設けることなくシートカバーをウレタンパッドに粘着させ固定させてアクセントラインを有するシートバック又はシートクッションを形成するようにしたものである。
【００１７】
以下に、図面を用いて本発明の実施例を説明する。  
【実施例１】
【００１８】
図１は、本発明で対象とする車両用シートである乗用車用シート１の基本的な構成を示す。乗用車用シート１は、クッションシート２、シートバック３、ヘッドレスト４、サイドサポート５を備えている。クッションシート２及びシートバック３には、アクセントライン３０が形成されている。
【００１９】
図２に、本発明で使用するシートカバー１０の断面構成を示す。シートカバー１０は、表面の表皮材１１、その下のポリウレタンで形成されたクッション材１２、クッション材１２の裏面を覆う裏生地１３で形成されている。表皮材１１と裏生地１３とは、粘着剤でクッション材１２に貼り合わされている。表皮材１１はクッション材１２と比べると比較的硬い。従って、上から押付けたときに、表皮材１１の厚さは変化しないが、クッション材１２の厚さは大きく変化する。裏生地１３は、表皮材１１やクッション材１２と比べて厚さが薄く、上から押付けても厚さはほとんど変化しない。
【００２０】
図３に、本発明による２枚のシートカバー１０−１及び１０−２の縫い合せの工程を示す。まずＳ３０１の２枚重ね工程において、２枚のシートカバー１０−１と１０−２とを表皮材１１−１と１１−２とが面するようにして（内側になるようにして）重ね合せる。次に、Ｓ３０２の２枚重ね縫い工程において、Aの部分で２枚のシートカバー１０−１と１０−２とを縫い合せる（シングルステッチ）。この時、縫い合せたAの部分を中心に、クッション材１２−１と１２−２とが圧縮されて、Aの部分の厚さが薄くなる。一方、Aの部分の両脇においては、クッション材１２−２は本来の厚さとなっている。次に、Ｓ３０３の上側折り返し工程において、上側のシートカバー１０−１を縫い合せた個所Aから折り返す。これにより、シートカバー１０−１の表皮材１１−１が一番上になる。
【００２１】
最後に、Ｓ３０４の３枚重ね縫い工程において、上側のシートカバー１０−１を折り返した状態で、Bの部分でシートカバーを３枚重ね縫い（押え縫い）する。このとき、上側のシートカバー１０−１の一番上側が表皮材１１−１で覆われた状態になるので、この状態でBの部分を重ね縫いすると、比較的固い表皮材１１−１が比較的柔らかいクッション材１２−１を押しつぶして、縫合部Bの部分の厚さをシートカバー１０−１又は１０−２の１枚分の厚さと同程度にすることができる。
【００２２】
このように、縫い合せた個所の厚みをシートカバー１０−１又は１０−２の１枚分の厚さと同程度にすることができるので、従来の縫い合せ部分がシートカバー１０−１又は１０−２の１枚分の厚さよりも厚くなった場合のようにウレタンパッドに縫い合せ部分を埋め込むための溝加工を施す必要がなくなった。
【００２３】
これにより、縫い合せた２枚のシートカバーを、図４に示すような、平坦なウレタンパッド３１上に、表面がほぼ平坦な状態で張り付けることが可能になり、ウレタンパッドに溝を形成して、その溝にシートカバーの縫い合せ部分を埋め込むといった作業が必要なくなり、シートカバーをウレタンパッドに取り付ける工程を簡略化することが可能になる。なお、図４には、ウレタンパッド３１の例として、シートバック３に用いるウレタンパッドの例を示す。
【００２４】
次に、シートカバーをウレタンパッドに取り付けてシートバックを形成する工程を図５に示す。まず図３を用いて説明したような工程を経て縫い合せたシートカバー１０を生産ラインに投入し(Ｓ５００)、ウレタンパッド３１を生産ラインに投入する（Ｓ５０１）。次に、ウレタンパッドの表面に接着剤を塗布する（Ｓ５０２）。次に、シートカバー１０をウレタンパッド３１に押付けて（加圧して）加熱して、所定の時間経過後に加熱と加圧を解除することによりシートカバー１０をウレタンパッド３１に接着固定して（Ｓ５０３）シートバック３を形成し、形成したシートバック３をラインから取り出して（Ｓ５０４）工程を終了する。
【００２５】
このようにして形成したシートバック３の外観を図６に示す。シートバック３の表面はシートカバー１０に覆われており、図３を用いて説明したようにシートカバーを２枚重ねて縫い合せて形成したアクセントライン３５が２か所（３５−１と３５−２）形成されている。
【００２６】
本実施例によれば、比較的固い表皮材１１を最上面にしてシートカバーを３枚重ね縫いすることにより、縫い合せた部分の厚さをシートカバー１枚分の厚さとほぼ同等にすることができる。これにより、ウレタンパッドに溝を形成して縫い合せ部分をこの溝に埋め込む必要がなくなり、アクセントラインの形状が異なるごとに溝形状を変えて、溝形状ごとに埋め込み用の治具を用意する必要がなくなり、生産工程を簡素化することができる。
【００２７】
また、本実施例では、シートカバーをウレタンパッドに形成した溝に埋め込む工程をなくした代わりに、シートカバーをウレタンパッドに固定する手段として、ウレタンパッドに粘着剤を塗布し、その上に縫い合せたシートカバーを重ね合せる方法を取った。これにより、生産工程において特別な治具を必要としないので、多様なウレタンパッドの形状、及びアクセントラインの形状に容易に対応することが可能になる。
【符号の説明】
【００２８】
１・・・車両用シート    ２・・・クッションシート    ３・・・シートバック    １０，１０−１，１０−２・・・シートカバー    １１，１１−１，１１−２・・・表皮材    １２，１２−１，１２−２・・・クッション材    １３，１３−１，１３−２・・・裏生地    ３１・・・ウレタンパッド    ３５，３５−１，３５−２・・・アクセントライン。
【図１】
0006511254.tif 000002
【図２】
0006511254.tif 000003
【図３】
0006511254.tif 000004
【図４】
0006511254.tif 000005
【図５】
0006511254.tif 000006
【図６】
0006511254.tif 000007